(57)【要約】【課題】本発明の目的は、高圧燃料ポンプに使用するオイルシールに加わる圧力を減圧するための、燃料タンクへの戻し配管を廃止すべく、オイルシールの耐圧性を向上させることにある。【解決手段】本発明は、上記目的を達成するために、オイルシールの保持部材と軟質部材の接合部に発生する応力を緩和する応力緩和機構を備えることにある。具体的には、第一オイルシール１０の第一保持部材１１の最内径と、プランジャ７０外径との隙間（半径隙間）を、０.９mm 以下に設定する構成とする。これにより、第一オイルシール１０（第一リップ１３）に圧力が加わった時、前記第一リップの変形が抑制され、第一保持部材内径角部１１ａ近傍に発生する、軟質部材の応力を緩和することができる。【選択図】図１
2007010156.tif 000002
【特許請求の範囲】
【請求項１】
環状の保持部材と、保持部材に一体成形されたシール機能を有する軟質部材とからなるシール機構において、前記保持部材の内径側近傍に発生する、前記軟質部材の応力を緩和する応力緩和機構を備えたことを特徴とするシール機構。
【請求項２】
前記応力緩和機構は、前記保持部材の最内径と、前記軟質部材内側にあって、軟質部材と、自在に摺動する相手軸外径の隙間を０.９mm 以下に設定したことを特徴とする請求項１のシール機構。
【請求項３】
前記応力緩和機構は、前記保持部材の内径側角部にＲ０.１ 以上の曲面を設けた構造であることを特徴とする請求項１のシール機構。
【請求項４】
前記応力緩和機構は、前記保持部材の角部に接する前記軟質部材の材料をシール対象流体に対して３０％以下の膨潤率を有する材料で構成したことを特徴とする請求項１のシール機構。
【請求項５】
前記応力緩和機構は、前記保持部材の内径側角部から前記軟質部材を除去した構造であることを特徴とする請求項１のシール機構。
【請求項６】
前記応力緩和機構は、前記軟質部材のシール対象流体と接する表面に、対象流体の浸透を防止する表面改質或いはコーティングを施した構造であることを特徴とする請求項１のシール機構。
【請求項７】
前記応力緩和機構は、前記軟質部材のシール面或いは前記シール面と摺動する相手面に低摩擦材を用いた、或いは表面改質又はコーティングを施した構造であることを特徴とする請求項１のシール機構。
【請求項８】
請求項２のシール機構において、保持部材と軟質部材と有するシール機構を、複数用いることを特徴とするシール機構。
【請求項９】
請求項２のシール機構において、保持部材に複数の貫通穴を有することを特徴とするシール機構。
【請求項１０】
往復動プランジャと、このプランジャが滑合するシリンダを有し、前記プランジャの往復運動によってシリンダ内に容積の変化する加圧室が形成される燃料ポンプにおいて、プランジャとシリンダとの間に、請求項１〜９の何れかのシール機構を備えたことを特徴とする燃料ポンプ。
【発明の詳細な説明】
【技術分野】
【０００１】
本発明は、オイルや燃料等の密封流体をシールするオイルシールに関するものであり、例えば、２液流体を用いる往復動軸用のオイルシールに係わり、特には、自動車ガソリンエンジン用，筒内直接噴射装置の高圧ポンプに使用するオイルシールに関する。
【背景技術】
【０００２】
筒内噴射装置用の高圧燃料ポンプにあたっては特願２０００−０９７８２６に示すように従来のオイルシールを用いており、オイルシールの耐圧性を考慮して、オイルシールに燃料圧力がかからないよう燃料タンクへの戻し配管を必要としていた。
【０００３】
また、従来の耐圧性を考慮したオイルシールは、例えば特開平１０−１４１５０８号に示されるように、前記保持部材と前記軟質部材の間にバックアップリングが必要であった。
【０００４】
【特許文献１】特願２０００−０９７８２６号公報
【特許文献２】特開平１０−１４１５０８号公報
【発明の開示】
【発明が解決しようとする課題】
【０００５】
上記従来技術では、オイルシールに燃料圧力がかからないよう、減圧のためのタンクへの戻し配管が必要となり、部品点数の増加，コストの増加，配管取り回しの工数増加等の問題があった。
【０００６】
また、前記減圧のための戻し配管を用いない、高い圧力下でのオイルシールの使用については、オイルシールにバックアップリング等が必要であり、オイルシール構造の複雑化の問題があった。さらに、片側に高圧が加わる為、シール部材全体に負荷が加わり、保持部材が移動する現象も生じた。
【０００７】
本発明は、上記従来技術の問題を解決するために、高圧力下でのオイルシールの耐久性を向上させることを目的としており、さらには、燃料ポンプが使用されるシステム全体を簡略化することを目的とする。
【課題を解決するための手段】
【０００８】
本発明は、上記目的を達成するために、保持部材の形状、及び軟質部材の形状を変更したものである。または、軟質部材の材料に、対象流体による軟質部材の膨潤が抑制される材料を使用したもの、または、膨潤を抑制するために軟質部材に表面処理を施したものである。さらには、軟質部材のシール面或いは前記シール面の相手面に低摩擦材を用いたものや、前記シール面或いは前記相手面の摩擦力を低減させるために、軟質部材或いは相手部材に低摩擦化を目的とした表面処理を施したものである。さらに、シール部材が圧力により動くことを防ぐため、シール部材の外周で規制を設けるものである。
【発明の効果】
【０００９】
筒内噴射エンジンの燃料システムにおいて、オイルシールに圧力をかけることができるので、高圧燃料ポンプから、タンクに連通する戻し通路を廃止することができ、燃料システムを簡略化することができる。また、オイルシールの耐圧性を増すことができる。
【発明を実施するための最良の形態】
【００１０】
以下、本発明の実施例を、図面を用いて説明する。実施例のオイルシールは、例えば、自動車用筒内噴射ガソリンエンジンの高圧燃料ポンプに対して使用されるものである。
【００１１】
図１〜図７は、本発明のオイルシールの実施例、図８は前記高圧燃料ポンプの構造図、図９は前記筒内噴射ガソリンエンジンの燃料システム図、図１０はオイルシールの軟質部材に加わる応力を示したものである。
【００１２】
まず図９を用いて、筒内噴射エンジンの燃料システムの構成を説明する。燃料タンク
９０と低圧ポンプ９１の吸入口９１ａが接続されている。低圧ポンプ９１の吐出口９１ｂと高圧燃料ポンプ９２の吸入口９２ａが低圧配管９３によって接続されており、高圧燃料ポンプ９２の吐出口９２ｂと燃料噴射弁９４が高圧配管９５によって接続されている。
【００１３】
本燃料システムの動作について説明する。燃料タンク９０から低圧ポンプ９１により圧送される燃料は、圧力調圧弁９６により０.２〜０.７ＭＰａに調圧され、高圧燃料ポンプ９２に供給される。高圧燃料ポンプ９２により昇圧された燃料は、圧力調整弁９７により必要燃圧３〜１２ＭＰａに制御され、高圧配管９５を介して燃料噴射弁９４へ供給される。高圧燃料ポンプ９２と低圧調圧弁９６下流とを連通させるための通路、又は高圧燃料ポンプ９２と燃料タンク９０とを連通させるための通路（戻り配管）はなく、燃料システムを簡略化している。
【００１４】
次に図８を用いて、本発明のオイルシールを用いた、高圧燃料ポンプの構造及び動作を説明する。エンジンのカム軸からの駆動力をシャフト５３に伝えるカップリング５１は、カップリング５１に勘合したピン５２を介して、シャフト５３に連結されている。シャフト５３は、ラジアル軸受５４及びスラスト軸受５５を介して、回転自在にボディ５６に支持されている。シャフト５３にはシャフト５３の軸線に対し傾斜した平面を有する斜板面５３ａが設けられ、シャフト５３の回転に伴い斜板面５３ａが回転揺動運動を行う。
【００１５】
ボディ５６内にはシリンダ６０が固定されている。シリンダ６０の半径方向に複数配置されたシリンダボア６０ａにより往復動自在に支持されたプランジャ７０は、斜板面53ａが回転揺動運動を行うことで、ガイド部材としての球継手機構を有するスリッパ５７を介して、プランジャ７０とシリンダ６０間に設けられたプランジャスプリング７１の伸縮作用と合間って往復動を行う。
【００１６】
前記プランジャ７０とシリンダ６０により囲まれた容積は、ポンプ室７２を形成する。プランジャ７０が往復運動を行うとプランジャ７０に設けられた吸入弁とシリンダ６０に設けられた吐出弁を介して、燃料は吸入，圧縮，吐出される。すなわち、低圧ポンプ９１から０.２〜０.７ＭＰａの圧力で供給される燃料は、前記ポンプ室７２によって、３〜
１２ＭＰａまで昇圧し吐出される。前記吸入弁は、ボール７３とスプリング７４及びスプリング７４を支持するスプリングストッパ７５で形成される。前記スプリングストッパ
７５は、プランジャ７０の内面にプランジャスプリング７１の一端を圧入することで固定される。また、前記ポンプ室７２へ燃料を供給可能なように、前記シリンダ６０の中央部には、プランジャ７０へ連通する吸入空間６２及び横穴６３を設けている。
【００１７】
必要以上に昇圧することを防ぐために、前記シリンダ６０内に安全弁を設けている。安全弁は、吐出室８１に連通する通路３０と、ボール３１と、スプリング３３と、ボールとスプリングを保持するボールオサエ３２と、ボールに加わるスプリング反力を支持するストッパ３４と、ストッパを固定するためのリング３６によって構成している。ストッパ
３４は、燃料をシールするためのＯリング３５を備えている。ボール３１の下流は、通路６３ａにより、吸入空間６２と連通している。吐出室８１が必要以上に昇圧すると、ボール３１に加わる力が、スプリング力に打ち勝ち、開弁することによって減圧する構成となっている。
【００１８】
吸入空間６２へ燃料を導くために、軽量化を考慮し、加工と生産性に優れたアルミダイカスト製のリアボディ８０を設けている。リアボディ８０には、吸入ポート９２ａから吸入空間６２へ燃料を導く吸入通路８３と、前記吐出弁から吐出室８１を介して吐出ポート９２ｂへ燃料を導く吐出通路８４と、吐出される燃料の圧力を制御するために設けられた圧力調整弁９７へ燃料を導く通路９８と、圧力調整弁９７から吸入通路９３へ燃料を戻すためのリターン通路９９が設けられている。前記リアボディ８０内の吸入通路８３には、外部から流入する燃料の特定サイズ以上の異物進入を防止するフィルタ８５を設けている。
【００１９】
荷重を支持する駆動部（前記スリッパと前記斜板面及び軸受部を総称して以下駆動部と略す）は、回転自在に荷重を支持する部分であり、オイル潤滑することで、軸受寿命は向上する。前記駆動部へ供給する潤滑油には、エンジンの潤滑オイルを利用し、ボディ５６には潤滑オイルを導入するためのオイル供給路５７が形成され、ボディ５６とシリンダ
６０との間で形成されたオイル室５８へ前記エンジンの潤滑オイルが流入する構造となっている。また、オイル供給路５７には、エンジンからの供給油量を調整する絞り部５７ａを設けている。前記絞り部５７ａの内径はエンジンからの異物などによる閉鎖が発生しないよう考慮している。
【００２０】
オイルシール１は、前記オイル室５８内のオイル４０と、前記シリンダ６０内の燃料
４１を隔絶するために、前記プランジャ７０とシリンダ６０の間に配置している。
【００２１】
オイルシール１が、斜板面５３ａ方向へのずれ或いは抜けることを重ねて防止するために、抜止板４５を設けている。抜止板４５は、ねじ４６にてシリンダ６０にねじ止めしている。複数個のプランジャを有するポンプにおいても、抜け止め板１枚にて、構成することができる。また、ねじを使用せずとも、シリンダ６０に溝を有する突起を設け、止め輪等でも抜け止め板を固定することができるし、止め輪自体を抜け止め板に使用することもできる。ところで、この抜止板４５は、前記安全弁を構成し、ストッパ３４を固定しているリング３６に置き代わって、ストッパを固定することも可能である。
【００２２】
以下、本発明のオイルシールの具体的実施例を図１により説明する。オイルシール１は、吸入燃料をシールする第一オイルシール１０と、オイルをシールする第二オイルシール２０で構成している。
【００２３】
第一オイルシール１０は、断面がＬ字形で環状の第一保持部材１１と、第一保持部材
１１に一体成形された第一軟質部材１２によって構成され、シリンダ勘合穴６４に挿入され、シリンダ勘合穴６４と第一オイルシール１０との径方向の緊迫力によって固定されている。径方向の直径締代は０.１〜０.４mmとしている。第一オイルシール１０は、第一保持部材１１から内径方向に第一軟質部材である第一リップ１３を有しており、第一リップ１３は、プランジャ７０と自在に摺動できるように構成し、密封対象流体である燃料４１をシールしている。第一軟質部材は、第一保持部材１１の外径側１４全周にも成形され、シリンダ勘合穴内表面６４ａと密着することによって、第一オイルシール１０とシリンダ６０との間をシールしている。
【００２４】
シリンダ勘合穴６４には、シリンダ勘合穴小径部６５を設けることにより、シリンダ勘合穴端面６４ｂを形成し、第一オイルシール１０が軸方向にずれることを防止している。軟質部材１２が密封流体である燃料によって膨潤しても、軟質部材に過度な外力が加わらないようにするために、第一軟質部材端面１５と、シリンダ勘合穴端面６４ｂには隙間を設けている。図２に示すように、シリンダ勘合穴小径部６５を比較的大きくして、軸方向にずれることを防止し、かつ前記膨潤によっても、過度な外力が加わらないようにする方法もある。図３に示すように前記軟質部材の膨潤の影響を考慮しなくて済む場合は、前記隙間を設けなくても良いし、その場合、燃料のシールは、第一オイルシール外周部に限らず、第一オイルシール１０に第一軟質部材端面１５を形成し、前記第一軟質部材端面１５とシリンダ勘合穴小径部６５とを密着させることによっても、密封を行うことができる。また、前記軸方向のずれを考慮しなくても済む場合は、シリンダ勘合穴小径部６５を設ける必要はない。
【００２５】
また、図４に示すように、第一オイルシール自体を強固に固定するために、第一オイルシールの最外径部を保持部材１１ｃと軟質部材１２ｃで構成する方法もあるし、図３に示す考えかたと合わせて、最外径部を保持部材とし、外径側の燃料のシールは第一軟質部材端面１５と、シリンダ勘合穴６４ｂで構成する方法もある。
【００２６】
第二オイルシール２０は、断面Ｌ字形で環状の第二保持部材２１と、第二保持部材２１に一体成形された第二軟質部材２２によって構成され、第一オイルシール１０と密着してシリンダ勘合穴６４に圧入され、シリンダ勘合穴６４と第二オイルシール２０の第二保持部材２１との径方向の緊迫力によって固定されている。径方向の締代は０.０５〜０.２mmとしている。同様に第二保持部材２１から内径方向に第二軟質部材である第二リップ２３を有しており、第二リップ２３は、プランジャ７０と自在に摺動できるように構成し、密封対象流体であるエンジンオイル４０をシールしている。最外径部は、第二保持部材２１であり、第二保持部材２１を直接シリンダ６０に圧入することによって強固に固定されている。そのため、第一オイルシール１０に密封対象流体である燃料による大きい圧力が負荷され、第二オイルシール方向への大きい軸方向の力が発生しても、第一、及び第二オイルシールは、ずれや抜けが発生し難い構成としている。
【００２７】
オイルシールは、第一リップ１３と第二リップ２３の間３０に、プランジャ７０とオイルシールとの初期なじみを助けるため、或いは対摩耗性を向上させるため、燃料に溶けない材質のグリス、例えばフッ素系グリスを充填している。また、第一，第二リップの材料として使用温度が広く、燃料中でも使用可能なフッ素系ゴムを使用している。第一，第二リップの摩耗量が過大でない場合は、上記グリスを充填する必要はない。
【００２８】
高圧燃料ポンプ作動時、第一オイルシール１０の第一リップ１３は、密封対象流体である燃料４１の圧力が加わることによって、第一リップ１３に荷重が加わり変形し、第一保持部材内径角部１１ａ近傍において、軟質部材に過大な応力が発生する。また、第一リップ１３はプランジャ７０と接触しており、前記圧力が加わることによって、第一リップ
１３とプランジャ７０との間に接触力が発生する。この際、プランジャ７０は、プランジャ７０の軸方向に往復運動を行うことで、前記接触力に伴う軸方向の摩擦力が発生する。この摩擦力が、第一リップ１３を引張り、又は圧縮することにより、第一保持部材内径角部１１ａ近傍において、軟質部材に過大な応力が発生する場合がある。また、第一軟質部材１２のシール対象流体による膨潤に伴う変形により、第一保持部材内径角部１１ａ近傍において、軟質部材に過大な応力が発生する場合がある。
【００２９】
これら第一保持部材内径角部１１ａ近傍に加わる、軟質部材の応力を低減させるために、以下のような構成とした。
【００３０】
第一オイルシール１０の第一保持部材１１の最内径と、プランジャ７０外径との隙間
（半径隙間）を、０.９mm 以下に設定する構成とする。なぜなら、第一オイルシール１０（第一リップ１３）に圧力が加わった時、前記第一リップの変形が抑制され、第一保持部材内径角部１１ａ近傍に発生する、軟質部材の応力を緩和することができるためである。図１０は、第一オイルシール（第一リップ）に燃料の圧力である０.５ＭＰａ が加わったときの、第一保持部材内径角部１１ａ近傍に発生する、第一軟質部材の応力を示したものであり、第一保持部材１１内径とプランジャ７０外径との隙間、すなわち第一保持部材内径をφＤ，プランジャの外径をφｄとすると、（φＤ−φｄ）／２を横軸にとり、前記第一軟質部材に発生するの応力を縦軸にとって、解析を行った結果を示したものである。従来のあるオイルシールは、前記(φＤ−φｄ) ／２が０.９mmであり、その仕様での解析結果では、前記第一軟質部材に発生する応力は０.７ＭＰａ となった。この仕様において、第一リップに圧力を負荷する寿命試験を行った結果、安全率は１倍となり、規定寿命に対し全く余裕がない実験結果となった。改善策の一例として、前記(φＤ−φｄ)／２が0.5
mmのもので解析をおこなった結果、第一保持部材内径角部１１ａ近傍に発生する、第一軟質部材の応力は、０.３ＭＰａ まで減少した。すなわち、第一保持部材内径角部１１ａに発生する、軟質部材の応力は、第一保持部材１１内径とプランジャ７０外径との半径隙間（φＤ−φｄ）／２に大きく依存していることが明らかとなった。また、この仕様においても、第一リップに圧力を負荷する寿命試験を行ったが、規定寿命にたいする安全率が２倍となり、前記応力が大幅に緩和されることが明らかとなった。
【００３１】
また、前記応力が発生する第一保持部材内径角部１１ａを、Ｒ０.１ 以上の曲面形状とした。すなわち、第一保持部材内径角部１１ａ近傍に集中して発生する、軟質部材の応力を分散させ、過大な応力を防ぐ役割を果たす形状とするものである。この形状に関しても、解析と実験により、明らかに第一保持部材内径角部１１ａの応力が緩和されることが明らかとなった。
【００３２】
また、第一軟質部材１２の材料には、シール対象流体による膨潤を防ぐために、シール対象流体に対する膨潤率が３０％以下の材料、たとえばフッ素系ゴムを使用している。なぜなら、第一軟質部材の膨潤によって、第一保持部材１１の体積は変化しないにも関わらず、第一軟質部材１２の体積のみ増加するため、特に第一保持部材内径角部１１ａにおいて、軟質部材に過大な応力が発生するためである。また、この応力発生の原因となる膨潤を防ぐために、第一軟質部材１２表面にシール対象流体の浸透を妨げる、表面処理を施す方法も有る。この膨潤率は、前記応力を緩和するためだけでなく、オイルシール本来のシール機能を果たすべく、リップ形状を変化させないためにも、小さくするべき要素の一つである。
【００３３】
また、第一軟質部材１２とプランジャとの摩擦力を低減させるために、第一軟質部材
１２の材料には、より低摩擦となる材料を使用している。また、低摩擦材料を用いなくとも、第一軟質部材１２に低摩擦となるよう、表面処理を施したり、プランジャ７０に低摩擦となるよう、表面処理を施す方法も考えられる。すなわち、このように、摩擦力を低減することによって、第一リップに加わる軸方向の引張り、圧縮の荷重を小さくすることができ、第一保持部材内径角部１１ａ近傍に発生する、第一軟質部材１２力を緩和することができる。その他、摩擦力を低減することは、第一リップ及びプランジャの摩耗をも低減することができる。
【００３４】
図５は、前記過大な応力の発生する第一保持部材内径角部１１ａ近傍から、第一軟質部材を除去した構造である。すなわち、第一軟質部材１２と、第一保持部材内径角部１１ａとの接触部分が無い構造とすることで、第一保持部材内径角部１１ａに発生する、第一軟質部材１２の応力を防ぐこととなり、耐圧性が向上する構造となる。
【００３５】
オイルシールを二つに分割することは、本高圧燃料ポンプの様な二液流体をシールすることにおいて、それぞれのシール流体の特性に合った軟質部材の材料を選択できる長所を有している。例えば、第一軟質部材には、燃料の圧力が加わるために、剛性が大きく、耐燃料性を有する材料を用い、第二軟質部材には、加わる圧力は大気圧程度であるために、剛性はさほど大きくなく、耐オイル性のある材料を用いるような構成とすることができ、設計の自由度を増すことができる長所である。また、第一オイルシール１０および第二オイルシール２０の軸方向の設置位置を変更することによって、第一リップ１３と第二リップ２３の距離を容易に変更することができ、往復運動するプランジャ７０のストローク量の変更に対し、設計の自由度が増す長所を有している。
【００３６】
図６は、第一オイルシールと第二オイルシールの機能を統合させ、一体に構成したものである。外径部に、軟質部材の部分１７と保持部材２５の部分との両方を兼ね備え、シリンダ６０とのシール機能と、シリンダ６０への強固な固定との両機能を持つ。保持部材
２５に対し、第一リップと第二リップ両方を構成している。また、保持部材の開口方向は、小型化のためにシリンダ勘合穴６４の開口方向としているが、その反対方向としてもなんら差し支えない。
【００３７】
図７は、図６に示すオイルシールの製造を容易とするために、保持部材に複数の穴25ａを開口させたものである。すなわち、オイルシールの製造時、軟質部材を保持部材に一体成形することにおいて、片側すなわちリップ１８からのみ加硫成形する場合、軟質部材の流動を助けるために、保持部材に複数の穴を開口させたものである。
【００３８】
前記穴を開口させずとも、リップ１８と、リップ２６の両方から加硫成形して、製造することもできる。
【図面の簡単な説明】
【００３９】
【図１】本発明のオイルシールの第一実施例。
【図２】第一実施例の補足図。
【図３】第一実施例の補足図。
【図４】本発明のオイルシールの第二実施例。
【図５】本発明のオイルシールの第三実施例。
【図６】本発明のオイルシールの第四実施例。
【図７】第四実施例の補足図。
【図８】高圧燃料ポンプの構造図。
【図９】筒内噴射エンジンの燃料システム図。
【図１０】軟質部材に発生する応力を示したグラフ。
【符号の説明】
【００４０】
１…オイルシール、１０…第一オイルシール、１１…第一保持部材、１１ａ…第一保持部材角部、１２…第一軟質部材、１３…第一リップ、２０…第二オイルシール、２１…第二保持部材、２２…第二軟質部材、２３…第二リップ、２５…保持部材、２５ａ…貫通穴、６０…シリンダ、６４…シリンダ勘合穴、７０…プランジャ。
【図１】
2007010156.tif 000003
【図２】
2007010156.tif 000004
【図３】
2007010156.tif 000005
【図４】
2007010156.tif 000006
【図５】
2007010156.tif 000007
【図６】
2007010156.tif 000008
【図７】
2007010156.tif 000009
【図８】
2007010156.tif 000010
【図９】
2007010156.tif 000011
【図１０】
2007010156.tif 000012